(57)【要約】      （修正有）【課題】樹脂の絡み付きや製品の早期消耗を防止又は減少させることのできる回転切削工具用切削ヘッドを提供する。【解決手段】回転切削工具のハンドピースへ取り付ける取付部１１を有する軸部１２と、この軸部先端の切削刃部１３からなり、切削刃部が複数の軸方向の溝１５と複数の軸方向の刃１６を有する切削ヘッド１である。切削刃部１３に周方向のやや深い溝１８を少なくとも１本設けている。歯科技工に使われる回転切削器具に用いるものの場合、溝の深さが０.３ｍｍ〜２.０ｍｍ、溝幅が表面位置において０.５ｍｍ〜２.０ｍｍ、本数が１〜５本であることが好ましい。【選択図】図２
2016174666.tif 000002
【特許請求の範囲】
【請求項１】
回転切削工具のハンドピース（２）へ取り付ける取付部（１１）を有する軸部（１２）と、この軸部先端の切削刃部（１３）からなり、前記切削刃部（１３）が複数の軸方向の溝（１５）と複数の軸方向の刃（１６）を有する切削ヘッド（１）において、
切削刃部（１３）に周方向のやや深い溝（１８，１８Ｂ〜１８Ｅ）を少なくとも１本設けることにより、切削中の発熱を抑制させたことを特徴とする回転切削工具用切削ヘッド。
【請求項２】
前記切削ヘッド（１）が歯科技工に使われる回転切削器具に用いるものである請求項１記載の切削ヘッド。
【請求項３】
溝の深さが０.２ｍｍ〜２.０ｍｍ、溝幅が表面位置において０.５ｍｍ〜２.０ｍｍ、本数が１〜５本である請求項２記載の切削ヘッド（１）。
【発明の詳細な説明】
【技術分野】
【０００１】
本発明は回転切削工具用切削ヘッドに関する。本発明は、もともと歯科技工に使われる回転切削器具の切削ヘッドとして開発されたもので、以下の説明でもそれについて行うが、その他、金属や木材の切削加工、土木の掘削工事など、広く一般の回転切削工具の切削ヘッドとしても使用可能である。
【背景技術】
【０００２】
歯科医や歯科技工士は、回転切削工具を用いてレジン制作物や入れ歯、石膏模型の調整を行うことが多い。ハンドピースの先端に図３（ａ）に示すような切削ヘッドを取り付け、これを高速で回転させつつ、レジン制作物や入れ歯、石膏模型に当てて加工するのである。そのような切削ヘッドとして、例えば特表２００３―５１７３５０が公知である。
【先行技術文献】
【特許文献】
【０００３】
【特許文献１】特表２００３―５１７３５０
【発明の概要】
【発明が解決しようとする課題】
【０００４】
例えば総義歯３（図１）の加工をするとき、口蓋部床縁３１のレジンに切削ヘッド１Ａ（図３）を当てると、切削刃１３Ａから発生する摩擦熱によりこれらの樹脂３２が溶融して、図３（ｂ）のように切削刃１６に絡まってしまいやすい。溶融しない固形物、例えば歯牙エナメル質・象牙質、その他、木・金属・岩・石を削るときでも、摩擦熱により切削ヘッドの消耗が進行しやすい。
【０００５】
このようになると、使用継続が困難となるので、清掃するか、新しい切削ヘッドに取り換える必要が生じる。切削ヘッドの素材にもよるが、たいていの場合、清掃に要する時間や労力を考慮すると、新しい切削ヘッドに取り換える方が有利であることが多い。
【０００６】
このような回転切削中の発熱に起因する樹脂の絡み付きや製品の早期消耗を防止又は減少させることができれば、切削ヘッドの製品寿命が延び経済的である。本発明は、このような樹脂の絡み付きや製品の早期消耗を防止又は減少させることのできる回転切削工具用切削ヘッドを提供することを目的とする。
【課題を解決するための手段】
【０００７】
本発明は、回転切削工具のハンドピースへ取り付ける取付部を有する軸部と、この軸部先端の切削刃部からなり、前記切削刃部が複数の軸方向の溝と複数の軸方向の刃を有する切削ヘッドにおいて、切削刃部に周方向のやや深い溝を少なくとも１本設けることにより、切削中の発熱を抑制させたことを特徴とする（請求項１）。
【０００８】
ここで「やや深い溝」というのは表面のわずかなギザギザ溝を含めないという趣旨である。
【０００９】
溝の深さ、幅、本数、間隔については切削ヘッドの大きさ、使用個所、使用目的により大きく異なる。切削ヘッドが例えば歯科技工に使われる回転切削器具に用いるものである場合（請求項２）、溝の深さは０.２ｍｍ〜２.０ｍｍ、溝幅は表面位置において０.５ｍｍ〜２.０ｍｍ、本数は1本以上であればよく、幅広の溝の場合、例えば１〜３本であり、幅狭の溝の場合、例えば１〜５本である（請求項３）。
【発明の効果】
【００１０】
請求項１の発明によると、切削刃部に周方向のやや深い溝を少なくとも１本設けることにより、回転切削中の発熱に起因する樹脂の絡み付きや製品の早期消耗を確実に減少させることができ、切削ヘッドの交換頻度を下げることができた。接触面積が減少することにより、摩擦熱が減少するためであると推定される。
【００１１】
請求項２及び３の発明によると、歯科技工に使われる回転切削器具に適当な切削ヘッドが得られる。
【００１２】
以下、添付の図面に基づき、本発明の１実施例を説明する。
【図面の簡単な説明】
【００１３】
【図１】本発明の実施例１に係る回転切削工具用切削ヘッドを使用していれば加工をしている状態の斜視図である。
【図２】同切削ヘッドの（ａ）正面図、（ｂ）平面図、（ｃ）矢上断面図、（ｄ）底面図である。
【図３】従来技術に係る切削ヘッドの（ａ）使用前の正面図、（ｂ）樹脂が絡み付いた状態の正面図である。
【図４】実施例２~５に係る切削ヘッドの各正面図である。
【発明を実施するための形態】
【００１４】
図２に示す実施例１の切削ヘッド１は、図１に示すように回転切削工具のハンドピース２の先端に取り付けられて使用する。
【００１５】
この切削ヘッド１は、ハンドピース２へ取り付ける取付部１１を有する軸部１２と、この軸部１２先端の切削刃部１３からなる。切削刃部１３は先端に向かってやや先細りであり、円錐状の中心体１４から８本ずつ軸方向の溝１５と軸方向の刃１６を有する。軸方向の溝１５と刃１６は図２（ｂ）（ｃ）に見られるように、わずかながら撚りがかかっている。刃１６には浅い波状のギザギザ溝１７が設けられている。
【００１６】
本発明の特徴は、切削刃部１３に周方向のやや深い溝１８を少なくとも１本設けたことである。図２の実施例では先端部近くに周方向の深い溝１８を１本設けられているのが分かる。
【００１７】
溝１８の深さ、幅、本数、間隔については切削ヘッドの大きさ、使用個所、使用目的により大きく異なる。しかし、あまりに深さが深すぎたり、幅が広すぎたり、本数が増えすぎたりしたら、稼働する刃の部分が少なくなってしまい、切削効率が落ちるだけでなく破損しやすくなるのは明らかである。
【００１８】
歯科技工に使われる回転切削器具の切削刃部に関する限り、溝の深さは０.２ｍｍ〜２.０ｍｍ、好ましくは０.５ｍｍ〜１.０ｍｍ、溝幅は表面位置において０.５ｍｍ〜２.０ｍｍ、好ましくは１.０ｍｍ〜１.５ｍｍであって、従来技術に見られる浅いギザギザ溝１７とは明確に区別できるものである必要がある。本数は幅広の溝の場合、１〜３本程度が適当であり、幅狭の溝の場合でも１〜５本程度で十分である。
【００１９】
図４（ａ）〜（ｄ）は、実施例２~５に係る切削ヘッドの各正面図である。それぞれ複数の軸方向の溝と複数の軸方向の刃を有する。実施例２の切削ヘッド１Ｂはミカン型のもので、溝１８Ｂは１本である。実施例３の切削ヘッド１Ｃは気球型のもので、溝１８Ｃは２本である。実施例４の切削ヘッド１Ｄはつぼみ型のもので、溝１８Ｄは３本である。実施例５の切削ヘッド１Ｅも別のつぼみ型のもので、溝１８Ｅは４本である。
【符号の説明】
【００２０】
１     切削ヘッド
１Ａ   （従来例）切削ヘッド
１１   取付部
１２   軸部
１３   切削刃部
１３Ａ （従来例）切削刃
１４   中心体
１５   軸方向の溝
１５Ａ （従来例）軸方向の溝
１６   軸方向の切削刃
１６Ａ  （従来例）軸方向の切削刃
１７   ギザギザ溝
１７Ａ  （従来例）ギザギザ溝
１８．１８Ｂ〜１８Ｅ  やや深い溝
２     ハンドピース
３     総義歯
３１   口蓋部
３２   樹脂
【図１】
2016174666.tif 000003
【図２】
2016174666.tif 000004
【図３】
2016174666.tif 000005
【図４】
2016174666.tif 000006